(57)【要約】  【課題】  セクションインシュレータの傾斜を簡単にかつ比較的精度高く確認しながら調整する傾斜角度測定装置を提供する。  【解決手段】  傾斜角測定装置１は、上端部にフック３を備えた左右一対の取付アーム２ａ，２ｂと、取付アーム２ａ，２ｂの下方に支持される表示盤４と、表示盤４上の目盛を指し示す指針５とを具備する。一方の取付アーム２ｂは、表示盤４の固定位置を変更可能に接続される。取付アーム２ａ，２ｂは、セクションインシュレータＳのアークホーンＳ３に掛け留めるフック３を備える。表示盤４の下端部に、水平を表す原点から左右に等角度間隔に角度目盛６を備える。表示盤４の前後両側一対の指針５は、表示盤４の上端部中央に枢軸８で回動自在に軸支し、下部が表示盤４のスリット７内を貫通する結合ねじ９で結合する。指針５の尖端は、自重により鉛直下方に向き、セクションインシュレータＳと共に表示盤４が傾斜した角度を指示する。【選択図】  図９
2019086353.tif 000002
【特許請求の範囲】
【請求項１】
セクションインシュレータをトロリ線に設置する際に、左右方向の水平に対する傾きを測定する傾斜角測定装置において、
トロリ線の延線直交方向の表面上に特定の基準点を中心に鉛直下方位置を原点として左右方向に円弧状に所定間隔の角度目盛を表示した表示盤と、
前記表示盤の特定の基準点に回動自在に枢支され、自重により基準点から鉛直下方に垂下し、前記角度目盛を指示する指針と、
前記セクションインシュレータの絶縁部材をトロリ線Ｔと接続する接続金具の両側部に固定されるアークホーンに掛け留めるフックを上端部にそれぞれ備え、これらのフックの中間点の延長線上に前記表示盤の前記基準点が位置する姿勢で表示盤を支持する取付アームとを具備し、
前記取付アームを前記セクションインシュレータに掛け留めた状態において前記指針が指し示す前記表示盤上の目盛がセクションインシュレータの傾斜を示すことを特徴とするセクションインシュレータの傾斜角測定装置。
【請求項２】
前記取付アームの少なくとも一方に、長さ調整手段を備えることを特徴とする請求項１に記載のセクションインシュレータの傾斜角測定装置。
【発明の詳細な説明】
【技術分野】
【０００１】
電車線の隣接する区間を接続するセクションインシュレータの設置、交換等の施工時に、セクションインシュレータを左右方向水平状態に調整するために傾きを確認する傾斜角測定装置に関する。
【背景技術】
【０００２】
セクションインシュレータは、トロリ線の癖等により、捻じりが生じて左右方向の上下角度の傾斜がついてしまうと、パンタグラフの接触力が左右不均一になり絶縁部材に片べりが発生する。この片べりを防止するために、セクションインシュレータを水平に調整する必要があるが、調整が不十分であると、片べりによる絶縁部材や全体の取り換えを余儀なくされる。
従来、水準器は、液体及び気泡を封入した気泡管を表面に露出させて器体に固定して構成され、測定したい測定面に当てがい気泡管の気泡位置により測定面の水平度若しくは垂直度を目視確認する（特許文献１）。この水準器を使用してセクションインシュレータの傾斜角度を調整する場合、セクションインシュレータに当て木をして平坦面をつくり、その当て木上に水準器を載置して傾斜を確認し、これを撤去してからトロリ線の捻じれを矯正している。この調整作業はトロリ線の捻れを調整するたびに当て木及び水準器を設置して目視確認するため、角度確認と捻じれの調整を交互に繰り返すことになる煩わしい作業となって、作業効率が悪く作業負担が大きい。
【先行技術文献】
【特許文献】
【０００３】
【特許文献１】特開２００７−０４０７１６号公報
【発明の概要】
【発明が解決しようとする課題】
【０００４】
そこで、本発明は、セクションインシュレータの傾斜角度を角度調整しながら、簡単にかつ比較的精度高く確認できる傾斜角度測定装置を提供することを課題としている。
【課題を解決するための手段】
【０００５】
上記課題を解決するため、本発明のセクションインシュレータＳの傾斜角測定装置１は、セクションインシュレータＳを設置する際に、左右方向の水平に対する傾きを測定する。この傾斜角測定装置１には、トロリ線Ｔの延線直交方向の表面上に特定の基準点を中心に鉛直下方位置を原点として左右方向に円弧状に所定間隔の角度目盛６を表示した表示盤４と、表示盤４の特定の基準点に回動自在に枢支され、自重により基準点から鉛直下方に垂下し、角度目盛６を指示する指針５と、セクションインシュレータＳの絶縁部材Ｓ１をトロリ線Ｔと接続する接続金具Ｓ２の両側部に固定されるアークホーンＳ３に掛け留めるフック３を上端部にそれぞれ備え、これらのフック３の中間点の延長線上に表示盤４の基準点が位置する姿勢で表示盤を支持する取付アーム２ａ，２ｂとを具備させる。取付アーム２ａ，２ｂをセクションインシュレータＳに取り付けた状態において指針５が指し示す表示盤４上の目盛６がセクションインシュレータの傾斜を示す。
【発明の効果】
【０００６】
本発明のセクションインシュレータの傾斜角測定装置によれば、当て木をあてることなく簡単にセクションインシュレータの傾斜に沿って簡単に取り付けることができ、その傾斜角度を目盛に表示することで正確に傾斜角度を確認でき、またセクションインシュレータに取り付けたままトロリ線の捻れ矯正を作業を行うことができ、測定装置の目盛を見ながらトロリ線の捻り矯正を行うことができ、作業効率が良く、作業負担を大幅に軽減することができる。
【図面の簡単な説明】
【０００７】
【図１】本発明に係る傾斜角度測定装置の斜視図である。
【図２】図１の傾斜角度測定装置の正面図である。
【図３】図１の傾斜角度測定装置の背面図である。
【図４】図１の傾斜角度測定装置の右側面図である。
【図５】図１の傾斜角度測定装置の左側面図である。
【図６】図１の傾斜角度測定装置の平面図である。
【図７】図１の傾斜角度測定装置の底面図である。
【図８】図１の傾斜角度測定装置の分解斜視図である。
【図９】図１の傾斜角度測定装置の取付状態の斜視図である。
【発明を実施するための形態】
【０００８】
本発明のセクションインシュレータの傾斜角測定装置を図面を参照して説明する。
図１ないし８において、傾斜角測定装置１は、上端部にフック３を備えた左右に対向する一対の取付アーム２ａ，２ｂと、取付アーム２ａ，２ｂの下方に支持される表示盤４と、表示盤４上の目盛を指し示す指針５とを具備する。
【０００９】
左右に対向する一対の取付アームの一方２ａは、基部が表示盤４の上部の片側の縁部から連続して前方へほぼ直角に立ち上がって上方に延出する。取付アームの他方２ｂは、基部が表示盤４の上部の他方の縁部に連続して前方へほぼ直角に立ち上がった取付け片４ａに接続されて上方に延出する。この取付アーム２ｂは、取付け片４ａの挿通孔４ｂを貫通するねじ２ｃを挿通させるための縦方向の長孔２ｄを備え、取付け片４ａに対して上下に相対位置を変更することにより長さ調整可能な長さ調整手段を備える。取付アーム２ａ，２ｂは鋼板からなり、その上半部が下半部より幅広をなして上端部のフック３の延線方向の安定的な幅を確保する。フック３は、取付アーム２ａ，２ｂの上端が相互に対向する内側にコ字状に折り返され、セクションインシュレータＳの絶縁部材Ｓ１をトロリ線Ｔと接続する接続金具Ｓ２の両側部に固定されるアークホーンＳ３に掛け留めるように略コ字状に形成されている。取付アーム２ａ，２ｂの相互間隔は、セクションインシュレータＳを横方向から受け入れて取付アーム２ａ，２ｂ間を押し拡げることなく延線直交方向に回転可能に広く寸法設定されている。
【００１０】
表示盤４は、矩形の上半部の下部に下拡がりの台形をなす鋼板からなる。表示盤４の両面下縁部には、中央部の水平を表す原点である「０」度から左右に等角度間隔に下膨らみ円弧状の角度目盛６を備える。角度目盛６の上部には横方向の下膨らみ円弧状のスリット７を備える。表示盤４の前後両側にはカラー１０ｂを介し間隔を置いて平行に表示盤４と同形同大の透明カバー１０が周縁部を複数のねじ１０ａによって固定されている。
【００１１】
指針５は、表示盤４を挟んで前後両側に対向する一対で構成される。これらの指針５は、上端部を取付アーム２ａ，２ｂのフック３，３の中間点の延長線上に位置する表示盤４の特定の基準点である上端部中央に枢軸８で回動自在にそれぞれ軸支される。指針５は、自重により鉛直下方に向き、尖端が表示盤４の角度目盛６上にそれぞれ位置し、セクションインシュレータＳと共に表示盤４が傾斜した角度を指示する。両指針５，５の下端部は、表示盤４のスリット７内を貫通して移動可能な結合ねじ９で結合され一体をなす。
【００１２】
この角度測定装置１を用いてセクションインシュレータＳの水平姿勢を調整する場合、角度測定装置１を９０°傾けた横向き状態に持って、セクションインシュレータＳを側方から取付アーム２ａ，２ｂ間に受け入れ、角度測定装置１に対して奥側のアークホーンＳ３に横向き状態の角度測定装置１の下側のフック３を掛け留め、当該アークホーンＳ３を中心に延線直交方向へほぼ９０°回転させて手前のアークホーンＳ３に他方のフック３を掛け留める。セクションインシュレータＳが左右方向水平に取り付けられていれば、指針５は、その鉛直下方に位置する表示盤４の角度目盛６の「０」を指し示す。また、左右方向上下に傾いていれば、指針５が鉛直下方に位置する表示盤４の角度目盛６の傾斜角度を指し示す。従って、角度目盛６を見ながらトロリ線の捻じれを工具で調整できる。調整後、いずれか一方のフック３を掛けたアークホーンＳ３の一方を中心に延線直交方向へ角度測定装置１を回転させると、その途上で他方のアークホーンＳ３に掛けたフック３がはずれ、角度測定装置１を９０°傾けた横向き状態でもう一つのフック３を外せば、セクションインシュレータＳの側方から角度測定装置１を引き離すことができる。取付アーム２ｂは、取付け片４ａの長孔４ｂの範囲でねじ２ｃ止め位置を上下に変更することにより、セクションインシュレータＳの左右のアークホーンＳ３の上下位置の違いに応じて長さ調整できる。
【符号の説明】
【００１３】
１    傾斜角測定装置
２ａ  取付アーム
２ｂ  取付アーム
２ｃ  ねじ
２ｄ  長孔
３    フック
４    表示盤
４ａ  取付け片
４ｂ  挿通孔
５    指針
６    角度目盛
７    スリット
８    枢軸
９    結合ねじ
１０    透明カバー
１０ａ  ねじ
１０ｂ  カラー
Ｓ    セクションインシュレータ
Ｓ１  絶縁部材
Ｓ２  接続金具
Ｓ３  アークホーン
Ｔ    トロリ線
【図１】
2019086353.tif 000003
【図２】
2019086353.tif 000004
【図３】
2019086353.tif 000005
【図４】
2019086353.tif 000006
【図５】
2019086353.tif 000007
【図６】
2019086353.tif 000008
【図７】
2019086353.tif 000009
【図８】
2019086353.tif 000010
【図９】
2019086353.tif 000011